(57)【要約】【課題】外壁の設計支援を適切に行う。【解決手段】設計支援装置１００の情報取得部２６は、設計対象の建物の要件に関する情報を表す基本要件情報と、設計対象の建物の形状を表すオブジェクトである基本要件オブジェクトとを取得する。また、設計支援装置１００の生成部２７は、情報取得部２６によって取得された基本要件情報と基本要件オブジェクトとに基づいて、設計対象の建物のうちの外壁のオブジェクトを生成する。【選択図】図１
2019215827.tif 000002
【特許請求の範囲】
【請求項１】
設計対象の建物の要件に関する情報を表す基本要件情報と、設計対象の前記建物の形状を表すオブジェクトである基本要件オブジェクトとを取得する情報取得部と、
前記情報取得部によって取得された前記基本要件情報と前記基本要件オブジェクトとに基づいて、設計対象の前記建物のうちの外壁のオブジェクトを生成する生成部と、
を含む設計支援装置。
【請求項２】
前記生成部は、前記基本要件情報と前記外壁のオブジェクトとに応じて前記外壁の仕様に関する情報を生成し、前記外壁のオブジェクトへ付与する、
請求項１に記載の設計支援装置。
【請求項３】
前記外壁のオブジェクトの比重に関する物性情報を、前記外壁のオブジェクトへ付与する比重情報付与部と、
前記比重情報付与部によって前記物性情報が付与された前記外壁のオブジェクトに基づいて、前記建物の荷重計算を行う荷重計算部と、
を更に含む、
請求項２に記載の設計支援装置。
【請求項４】
前記外壁のオブジェクトの熱負荷に関する物性情報を、前記外壁のオブジェクトへ付与する熱負荷情報付与部と、
前記熱負荷情報付与部によって前記熱負荷に関する物性情報が付与された前記外壁のオブジェクトに基づいて、前記建物の熱負荷計算を行う熱負荷計算部と、
を更に含む、
請求項２に記載の設計支援装置。
【請求項５】
前記外壁のオブジェクトの価格を表す価格情報を、前記外壁のオブジェクトへ付与する価格情報付与部と、
前記価格情報付与部によって前記価格情報が付与された前記外壁のオブジェクトに基づいて、前記建物の価格計算を行う価格計算部と、
を更に含む、
請求項２に記載の設計支援装置。
【発明の詳細な説明】
【技術分野】
【０００１】
本発明は、設計支援装置に関する。
【背景技術】
【０００２】
従来、建物を構成する部品の集合体の仮想３次元モデルを用いた集計システムが知られている（例えば、特許文献１）。また、建物を構成する各部品の集合体の仮想３次元モデルを用いた処理システムが知られている（例えば、特許文献２）。
【先行技術文献】
【特許文献】
【０００３】
【特許文献１】特開2016-115040号公報
【特許文献２】特開2017-224014号公報
【発明の概要】
【発明が解決しようとする課題】
【０００４】
建物の外壁設計においては、外壁のデザイン及び価格の両方を考慮する必要があるため、外壁設計に関する試行錯誤が設計者によって行われることが多い。しかし、設計対象の建物の要件を満たした外壁の設計を行い、かつその設計内容の価格を計算することは時間的なコストがかかる。このため、外壁の設計支援が自動的に行われることが好ましい。
【０００５】
しかし、上記特許文献１〜上記特許文献２に記載の技術では、外壁の設計支援については開示されていない。
【０００６】
本発明は上記事実を考慮して、外壁の設計支援を適切に行うことを目的とする。
【課題を解決するための手段】
【０００７】
上記目的を達成するために、本発明の設計支援装置は、設計対象の建物の要件に関する情報を表す基本要件情報と、設計対象の前記建物の形状を表すオブジェクトである基本要件オブジェクトとを取得する情報取得部と、前記情報取得部によって取得された前記基本要件情報と前記基本要件オブジェクトとに基づいて、設計対象の前記建物のうちの外壁のオブジェクトを生成する生成部とを含む。これにより、外壁の設計支援を適切に行うことができる。
【０００８】
本発明の前記生成部は、前記基本要件情報と前記外壁のオブジェクトとに応じて前記外壁の仕様に関する情報を生成し、前記外壁のオブジェクトへ付与するようにしてもよい。外壁の仕様が外壁のオブジェクトへ自動的に付与されることにより、外壁の設計支援を適切に行うことができる。
【０００９】
本発明の設計支援装置は、前記外壁のオブジェクトの比重に関する物性情報を、前記外壁のオブジェクトへ付与する比重情報付与部と、前記比重情報付与部によって前記物性情報が付与された前記外壁のオブジェクトに基づいて、前記建物の荷重計算を行う荷重計算部とを更に含むようにしてもよい。外壁の荷重計算が自動的に行われることにより、外壁の設計支援を適切に行うことができる。
【００１０】
本発明の設計支援装置は、前記外壁のオブジェクトの熱負荷に関する物性情報を、前記外壁のオブジェクトへ付与する熱負荷情報付与部と、前記熱負荷情報付与部によって前記熱負荷に関する物性情報が付与された前記外壁のオブジェクトに基づいて、前記建物の熱負荷計算を行う熱負荷計算部とを更に含むようにしてもよい。外壁の熱負荷計算が自動的に行われることにより、外壁の設計支援を適切に行うことができる。
【００１１】
また、前記外壁のオブジェクトの価格を表す価格情報を、前記外壁のオブジェクトへ付与する価格情報付与部と、前記価格情報付与部によって前記価格情報が付与された前記外壁のオブジェクトに基づいて、前記建物の価格計算を行う価格計算部とを更に含むようにしてもよい。外壁の価格計算が自動的に行われることにより、外壁の設計支援を適切に行うことができる。
【発明の効果】
【００１２】
本発明によれば、外壁の設計支援を適切に行うことができる、という効果が得られる。
【図面の簡単な説明】
【００１３】
【図１】本実施形態に係る設計支援装置の構成の一例を示すブロック図である。
【図２】本実施形態の基本要件情報の一例を示す図である。
【図３】本実施形態の処理の流れを説明するための説明図である。
【図４】本実施形態の外壁タイプを説明するための説明図である。
【図５】本実施形態の窓タイプを説明するための説明図である。
【図６】本実施形態の仕様情報を説明するための説明図である。
【図７】本実施形態に係る設計支援処理ルーチンの一例を示す図である。
【発明を実施するための形態】
【００１４】
以下、図面を参照して、本発明の実施形態について詳細に説明する。
【００１５】
＜本発明の実施形態に係る設計支援装置の構成＞
【００１６】
図１に、本発明の実施形態に係る設計支援装置１００の構成の一例を示す。本実施形態の設計支援装置１００は、機能的には、図１に示されるように、受付部１０、コンピュータ２０、及び表示部５０を含んだ構成で表すことができる。本実施形態の設計支援装置１００は、建築設計者によって行われる建築設計を支援する。
【００１７】
建築設計の分野では、ＢＩＭ(Building Information Modeling)の活用が進んでいる。建築設計者は、建築設計を行う際、設計対象の建物の３次元モデルを表すＢＩＭモデルを作成することにより、設計作業を進める。
【００１８】
建築設計者が建物の外壁設計を行う場合には、複数の外壁デザインを試験的に作成する場合がある。複数の外壁デザインを試験的に作成する場合、それらの外壁の価格を算出する場合には時間を要する。また、建築設計者が外壁設計を行う場合には、荷重計算及び熱負荷計算等の各種計算を行う必要があるが、複数の外壁の価格を算出した後、それら外壁の荷重計算及び熱負荷計算には時間がかかる。
【００１９】
そこで、本実施形態では、建築設計者が外壁設計を行う際に、ＢＩＭモデルのうちの外壁のオブジェクトに、物性情報（例えば、外壁を構成する各建築部材の比重、及び熱負荷率等）及び価格情報等の各種情報を紐付ける。そして、本実施形態では、外壁のオブジェクトに付与された各種情報に基づいて、外壁の荷重計算、熱負荷計算、及び価格計算を自動的に行う。
【００２０】
外壁のオブジェクトに付与された各種情報を用いることにより、各種計算処理を容易に行うことができる。これにより、外壁の設計支援を効率的かつ適切に行うことができる。
【００２１】
以下、本実施形態について具体的に説明する。
【００２２】
受付部１０は、ユーザから入力された情報を受け付ける。受付部１０は、例えばキーボード、マウス、又は外部装置からの入力を受け付ける入出力装置等によって実現される。例えば、ユーザは、設計支援の指示信号を、受付部１０を介してコンピュータ２０へ入力する。
【００２３】
コンピュータ２０は、ＣＰＵ（Central Processing Unit）、各処理ルーチンを実現するためのプログラム等を記憶したＲＯＭ（Read Only Memory）、データを一時的に記憶するＲＡＭ（Random Access Memory）、記憶手段としてのメモリ、ネットワークインタフェース等を含んで構成されている。コンピュータ２０は、図１に示されるように、機能的には、基本要件情報記憶部２２と、オブジェクト記憶部２４と、情報取得部２６と、生成部２７と、物性情報記憶部２８と、価格情報記憶部３０と、比重情報付与部３２と、熱負荷情報付与部３４と、価格情報付与部３６と、外壁モデル設定部３８と、荷重計算部４０と、熱負荷計算部４２と、価格計算部４４と、結果出力部４６とを備えている。
【００２４】
基本要件情報記憶部２２には、設計対象の建物の要件に関する情報を表す基本要件情報が格納されている。基本要件情報には、建築主の要望に応じた外壁に関する情報が含まれている。図２に、基本要件情報の一例を示す。図２に示されるように、基本要件情報は、例えばテーブル形式で表現される。本実施形態では、基本要件情報の一例である基本要件テーブルに、建築主の要望に応じた外壁に関する情報が格納されている場合を例に説明する。
【００２５】
図２に示されるように、基本要件テーブルには、建築地「ＡＡＡ」、外壁タイプ「ＢＢＢ」、階高さ「ＣＣＣ」、支持スパン「ＤＤＤ」、風圧力「ＥＥＥ」、窓タイプ「ＦＦＦ」、及びバルコニーの有無「ＧＧＧ」等が、外壁に関する情報として格納される。基本要件テーブルは、例えば、建築主の要望を聞き取った建築設計者によって作成され、基本要件情報記憶部２２に格納される。
【００２６】
例えば、基本要件テーブルの外壁タイプには、ダブルスキン及びカーテンウォール等の外壁の種別に関する情報が格納される。また、基本要件テーブルの窓タイプには、掃き出し窓、ＦＩＸ窓、及びガラリ等の窓の種別に関する情報が格納される。
【００２７】
オブジェクト記憶部２４には、設計対象の建物の形状を表すオブジェクトである基本要件オブジェクトが格納されている。本実施形態の基本要件オブジェクトは、建物全体の形状を表すオブジェクトであり、建築主の要望に応じて予め作成される。例えば、建築設計者は、建築主の要望に応じて基本要件オブジェクトを作成し、基本要件オブジェクトをオブジェクト記憶部２４へ格納する。
【００２８】
情報取得部２６は、設計支援の指示信号を受け付けると、基本要件情報記憶部２２に格納されている基本要件テーブルと、オブジェクト記憶部２４に格納されている基本要件オブジェクトを取得する。
【００２９】
生成部２７は、情報取得部２６によって取得された基本要件テーブルの各情報と基本要件オブジェクトとに基づいて、設計対象の建物のうちの外壁のオブジェクト（以下、単に「外壁オブジェクト」と称する。）を生成する。
【００３０】
図３に、外壁オブジェクトの生成を説明するための説明図を示す。図３のＸ１に示されるように、コンピュータ上の仮想の３次元空間内において、外壁オブジェクトＧが生成される。例えば、外壁オブジェクトＧは、仮想の３次元空間内のベクトルＶによって表現される。
【００３１】
なお、外壁オブジェクトを生成するための各オブジェクトは予め用意されている。図４に、外壁オブジェクトを生成するための外壁タイプのオブジェクトの一覧を示す。また、図５に、外壁オブジェクトを生成するための窓タイプのオブジェクトの一覧を示す。
【００３２】
例えば、生成部２７は、基本要件テーブルから読み出した外壁タイプに応じて、図４（Ａ）〜（Ｈ）の何れかのオブジェクトを生成する。また、生成部２７は、基本要件テーブルから読み出した窓タイプに応じて、図５（Ａ）〜（Ｈ）の何れかのオブジェクトを生成する。図４（Ａ）〜（Ｈ）の「Ｅｗ」は、外壁タイプを識別するための識別情報を表す。また、図５（Ａ）〜（Ｈ）の「Ｗｔ」は、窓タイプを識別するための識別情報を表す。なお、窓を構成するガラスに対しても種別が存在する。
【００３３】
また、生成部２７は、これらのオブジェクトを生成する際に、基本要件テーブルの各情報と外壁オブジェクトとに応じて外壁の仕様に関する情報（以下、単に「仕様情報」と称する。）を生成し、外壁オブジェクトへ付与する。
【００３４】
外壁オブジェクトの仕様情報は、例えば、外壁を構成する建築材料に関する仕様（例えば、外壁の材料及び下地部材等）及び外壁に関する寸法（例えば、壁厚さ等）等である。なお、外壁オブジェクトの仕様情報に関して複数の候補がある場合には、それらの候補を表示部５０により表示し、建築主又は建築設計者が選択をするようにしてもよい。
【００３５】
例えば、生成部２７は、図６に示されるように、外壁タイプが「ダブルスキン」の外壁オブジェクトを生成する際には、基本要件テーブルの「階高さ」の情報に基づき、外壁の仕様情報Ｓとして外壁オブジェクトのうちの高さ寸法Ｌを生成する。また、生成部２７は、基本要件テーブルに「マリオン」の寸法情報ｄが含まれている場合には、図６に示されるように、外壁オブジェクトのうちのマリオンＭの寸法情報ｄを決定する。
【００３６】
物性情報記憶部２８には、複数種類の建築部材（又は材料）の各々についての物性に関する情報を表す物性情報が格納されている。本実施形態では、各建築部材の比重及び熱貫流率が物性情報として格納されている。
【００３７】
価格情報記憶部３０には、複数種類の建築部材（又は材料）の各々についての価格に関する情報を表す価格情報が格納されている。
【００３８】
比重情報付与部３２は、生成部２７により生成された外壁オブジェクトの仕様情報に対応する、比重に関する物性情報を、物性情報記憶部２８から読み出す。そして、比重情報付与部３２は、読み出した比重に関する物性情報を、外壁オブジェクトへ付与する。
【００３９】
熱負荷情報付与部３４は、生成部２７により生成された外壁オブジェクトの仕様情報に対応する、熱負荷に関する物性情報を、物性情報記憶部２８から読み出す。そして、熱負荷情報付与部３４は、読み出した熱負荷に関する物性情報を、外壁オブジェクトへ付与する。熱負荷に関する物性情報としては、例えば、各部材の熱貫流率が挙げられる。
【００４０】
価格情報付与部３６は、生成部２７により生成された外壁オブジェクトの仕様情報に対応する価格情報を、価格情報記憶部３０から読み出す。そして、価格情報付与部３６は、読み出した価格情報を、外壁オブジェクトへ付与する。
【００４１】
例えば、図３のＸ２に示されるように、比重情報付与部３２は、外壁オブジェクトＧの仕様情報に応じて、比重に関する物性情報Ｈ１を外壁オブジェクトＧへ付与する。また、熱負荷情報付与部３４は、外壁オブジェクトＧの仕様情報に応じて、熱負荷に関する物性情報Ｎ１を、外壁オブジェクトＧへ付与する。また、価格情報付与部３６は、外壁オブジェクトＧの仕様情報に応じて、価格情報Ｋ１を、外壁オブジェクトＧへ付与する。
【００４２】
更に、図３のＸ３に示されるように、比重情報付与部３２は、外壁オブジェクトＧに含まれる窓のオブジェクトＷの仕様情報に応じて、比重に関する物性情報Ｈ２を窓のオブジェクトＷへ付与する。また、熱負荷情報付与部３４は、窓のオブジェクトＷの仕様情報に応じて、熱負荷に関する物性情報Ｎ２を、窓のオブジェクトＷへ付与する。そして、価格情報付与部３６は、窓のオブジェクトＷの仕様情報に応じて、価格情報Ｋ２を、窓のオブジェクトＷへ付与する。なお、窓のオブジェクトＷに含まれるガラスにも種類がある（熱線反射ガラス、熱線吸収ガラス、Ｌｏｗ−ｅガラス、単板ガラス、合わせガラス、及びペアガラス等）ため、ガラスの種別に応じた情報が付与される。
【００４３】
図３のＸ２及びＸ３における各種情報の付与が終了すると、図３のＸ４に示されるような、複合図形としての外壁オブジェクトＧ’が生成される。この外壁オブジェクトＧ’には、その材質等に応じて、比重に関する物性情報、熱負荷に関する物性情報、及び価格情報が付与されている。このため、これらの情報に基づき、後述する各種計算処理を自動的に実行することができる。
【００４４】
また、図３のＸ４に示される複合図形としての外壁オブジェクトＧ’は、各種寸法（例えば、外壁オブジェクト全体の幅Ｗｗと高さＨｗ、及び窓オブジェクトの幅Ｗｇと高さＨｇ）が変更可能とされている。外壁オブジェクトＧ’の各種寸法が変更されたとしても、外壁オブジェクトＧ’に付与された各種情報は変更されない。このため、外壁オブジェクトＧ’の各種寸法を変更した際にも、後述する各種計算処理を自動的に実行することができる。
【００４５】
外壁モデル設定部３８は、比重情報付与部３２、熱負荷情報付与部３４、及び価格情報付与部３６によって各種情報が付与された外壁オブジェクトに基づいて、外壁モデルを設定する。例えば、外壁モデル設定部３８は、図３のＸ５に示されるような外壁モデルＧＭ１，ＧＭ２を、設計対象の建物を表す基本要件オブジェクトＯｂに応じて設定する。
【００４６】
外壁モデルＧＭ１，ＧＭ２には、比重に関する物性情報、熱負荷に関する物性情報、及び価格情報が付与されているため、後述する各種計算を容易に実行することができる。
【００４７】
荷重計算部４０は、比重情報付与部３２によって比重に関する物性情報が付与された外壁オブジェクトを含む外壁モデルに基づいて、建物の荷重計算を行う。
【００４８】
具体的には、荷重計算部４０は、外壁オブジェクトの各部材に付与された比重（例えば、ＰＣａパネル、ＧＲＣパネル、ＥＣＰパネル、及びＡＬＣパネル等の比重）と、外壁オブジェクトの各部材の容積とを掛け合わせることにより、外壁オブジェクトが表す壁の自重計算を行う。なお、荷重計算部４０は、建物の荷重計算結果に基づき、設計対象の建物の構造計算を更に行っても良い。
【００４９】
熱負荷計算部４２は、熱負荷情報付与部３４によって熱負荷に関する物性情報が付与された外壁オブジェクトを含む外壁モデルに基づいて、建物の熱負荷計算を行う。
【００５０】
具体的には、熱負荷計算部４２は、外壁オブジェクトの各部材に付与された熱貫流率と、外壁オブジェクトの各部材の容積とを掛け合わせることにより、外壁オブジェクトが表す壁の平均熱貫流率の計算を行う。そして、熱負荷計算部４２は、例えば空調負荷計算時の外壁熱損失計算を行う。なお、熱負荷計算部４２による計算結果は、ＣＡＳＢＥＥ（建築環境総合性能評価システム）の計算にも用いることが可能である。
【００５１】
価格計算部４４は、価格情報付与部３６によって価格情報が付与された外壁オブジェクトを含む外壁モデルに基づいて、建物の外壁の価格計算を行う。具体的には、価格計算部４４は、外壁オブジェクトの各部材に付与された単価と各部材の容積（又は数量）とに基づいて、外壁オブジェクトが表す壁の価格計算を行う。
【００５２】
なお、価格計算部４４は、外壁オブジェクトに付与された仕様情報に基づいて、外壁の価格計算を行うようにしてもよい。例えば、価格計算部４４は、以下の式（１）の計算式を用いて、外壁の価格計算を行うようにしてもよい。
【００５３】
【数１】
2019215827.tif 000003
（１）
【００５４】
上記式（１）に示される、外壁の価格を表す関数ｆＥｗ（ＥＭ）は、所定の引数ＥＭに応じて決定される。また、上記式（１）のｆＥｗ（ＥＭ）は、建物の各壁に対応する外壁オブジェクトの価格を表す関数ｆＷＥ（Ｅｗ，Ｗｔ，ｂａｌ，ｆｅ）の総和として表現される。
【００５５】
Ｅｗは外壁タイプの種別を表し、Ｗｔは窓タイプの種別を表し、ｂａｌはバルコニーの有無を表し、ｆｅは延焼線の有無を表す。各外壁オブジェクトの価格は、これらの情報によって定まる。また、上記式（１）は、コンクリートの量を表す「ｃｏｎ」、ガラスの量を表す「ｇｌａｓｓ」、鉄の量を表す「ｓｔｅｅｌ」、及びアルミウムの量を表す「ａｗ」の関数として表現される。
【００５６】
このため、各外壁オブジェクトに対して、その外壁を構成する各材料の仕様情報が分かれば、コンクリートの量を表す「ｃｏｎ」、ガラスの量を表す「ｇｌａｓｓ」、鉄の量を表す「ｓｔｅｅｌ」、及びアルミウムの量を表す「ａｗ」が判明するため、外壁オブジェクトの価格を算出することができる。
【００５７】
結果出力部４６は、荷重計算部４０によって計算された計算結果と、熱負荷計算部４２によって計算された計算結果と、価格計算部４４によって計算された計算結果とを結果として出力する。
【００５８】
表示部５０は、結果出力部４６から出力された各種計算結果を表示する。表示部５０は例えばディスプレイによって実現される。
【００５９】
＜設計支援装置１００の作用＞
【００６０】
次に、設計支援装置１００の作用を説明する。設計支援装置１００の受付部１０が、基本要件テーブルの入力を受け付けると、情報取得部２６は基本要件テーブルを基本要件情報記憶部２２へ格納する。また、設計支援装置１００の受付部１０が、基本要件オブジェクトの入力を受け付けると、情報取得部２６は基本要件オブジェクトをオブジェクト記憶部２４へ格納する。そして、設計支援装置１００は、設計支援処理開始の指示信号を受け付けると、図７に示す設計支援処理ルーチンを実行する。
【００６１】
＜設計支援処理ルーチン＞
【００６２】
ステップＳ１００において、情報取得部２６は、基本要件情報記憶部２２に格納されている基本要件テーブルを取得する。
【００６３】
ステップＳ１０２において、情報取得部２６は、オブジェクト記憶部２４に格納されている基本要件オブジェクトを取得する。
【００６４】
ステップＳ１０４において、生成部２７は、上記ステップＳ１００で取得された基本要件テーブルの各情報と、上記ステップＳ１０２で取得された基本要件オブジェクトとに基づいて、外壁オブジェクトを生成する。
【００６５】
ステップＳ１０６において、生成部２７は、上記ステップＳ１００で取得された基本要件テーブルの各情報と、上記ステップＳ１０４で生成された外壁オブジェクトとに応じて、外壁の仕様情報を生成し、外壁オブジェクトへ付与する。
【００６６】
ステップＳ１０８において、比重情報付与部３２は、上記ステップＳ１０６で外壁オブジェクトへ付与された仕様情報に対応する比重に関する物性情報を、物性情報記憶部２８から読み出す。そして、ステップＳ１０８において、比重情報付与部３２は、読み出した比重に関する物性情報を、外壁オブジェクトへ付与する。
【００６７】
ステップＳ１１０において、熱負荷情報付与部３４は、上記ステップＳ１０６で外壁オブジェクトへ付与された仕様情報に対応する熱負荷に関する物性情報を、物性情報記憶部２８から読み出す。そして、ステップＳ１１０において、熱負荷情報付与部３４は、読み出した熱負荷に関する物性情報を、外壁オブジェクトへ付与する。
【００６８】
ステップＳ１１２において、価格情報付与部３６は、上記ステップＳ１０６で外壁オブジェクトへ付与された仕様情報に対応する価格情報を、価格情報記憶部３０から読み出す。そして、ステップＳ１１２において、価格情報付与部３６は、読み出した価格情報を、外壁オブジェクトへ付与する。
【００６９】
ステップＳ１１４において、外壁モデル設定部３８は、上記ステップＳ１０６、上記ステップＳ１０８、上記ステップＳ１１０、及び上記ステップＳ１１２で各種情報が付与された外壁オブジェクトに基づいて、外壁モデルを設定する。
【００７０】
ステップＳ１１６において、荷重計算部４０は、上記ステップＳ１１４で設定された外壁モデルのうちの各外壁オブジェクトの物性情報に基づいて、建物の荷重計算を行う。
【００７１】
ステップＳ１１８において、熱負荷計算部４２は、上記ステップＳ１１４で設定された外壁モデルのうちの各外壁オブジェクトの物性情報に基づいて、建物の熱負荷計算を行う。
【００７２】
ステップＳ１２０において、価格計算部４４は、上記ステップＳ１１４で設定された外壁モデルのうちの各外壁オブジェクトの価格情報に基づいて、建物の外壁の価格計算を行う。
【００７３】
ステップＳ１２２において、結果出力部４６は、上記ステップＳ１１６で得られた荷重計算の計算結果と、上記ステップＳ１１８で得られた熱負荷計算の計算結果と、上記ステップＳ１２０で得られた価格計算の計算結果とを結果として出力して、設計支援処理ルーチンを終了する。
【００７４】
表示部５０は、結果出力部４６から出力された各種計算結果を表示する。設計支援装置１００のユーザである建築設計者は、各種計算結果を参考にして設計作業を進める。
【００７５】
以上詳細に説明したように、本実施形態の設計支援装置１００は、設計対象の建物の要件に関する情報を表す基本要件テーブルと、設計対象の建物の形状を表す基本要件オブジェクトとに基づいて、設計対象の建物のうちの外壁オブジェクトを生成する。これにより、外壁の設計支援を適切に行うことができる。
【００７６】
具体的には、設計対象の建物のＢＩＭモデルを、基本要件テーブルと基本要件オブジェクトとに分けて管理することにより、基本要件テーブルの各情報を変更するのみで、基本要件オブジェクトに応じた外壁オブジェクトが自動的に生成される。これにより、建築主の要望に応じた外壁オブジェクトを自動的に生成することができる。
【００７７】
また、本実施形態の設計支援装置１００は、比重に関する物性情報、熱負荷に関する物性情報、及び価格情報を外壁オブジェクトへ付与する。これにより、外壁オブジェクトを含む設計対象の建物のＢＩＭモデルの荷重計算結果、熱負荷計算結果、及び価格計算結果を自動的に取得することができる。
【００７８】
また、本実施形態によれば、外壁オブジェクトに対して各種情報を付与することにより、設計の初期段階において、外壁設計に応じた荷重計算結果、熱負荷計算結果、及び価格計算結果を取得することができるため、外壁デザインの変更に応じて各種計算が繰り返されるという作業を低減することができる。
【００７９】
また、本実施形態によれば、設計の初期段階において外壁に関する価格を算出することができるため、建築主の予算を考慮した外壁設計を適切に行うことができる。
【００８０】
また、本実施形態によれば、建築設計者による外壁デザインの決定期間を短期間にすることができる。このため、構造設計者による構造計算、設備設計者による熱負荷計算の時間を十分に確保することができる。
【００８１】
また、設計対象の建物の施工が行われる際に、本実施形態の設計支援装置１００によって生成された外壁オブジェクトに対して、施工に関する工程表を紐付けることにより、外壁を構成する各建築部材の発注計画等にも利用することができる。
【００８２】
なお、本発明は、上述した実施の形態に限定されるものではなく、この発明の要旨を逸脱しない範囲内で様々な変形や応用が可能である。
【００８３】
例えば、また、各種情報が付与された外壁オブジェクトは、建物の施工が行われる際の作業所において、利用するようにしてもよい。この場合には、外壁オブジェクトに付与された荷重数量及び外形寸法等を活用し、揚重計画等に利用することができる。
【００８４】
また、外壁オブジェクトの仕様情報を決定する際に、仕様情報に関して複数の候補がある場合には、建築主又は建築設計者による選択結果を取得し、その選択結果をデータベースに蓄積するようにしてもよい。この場合、データベースに格納された選択結果を利用して、次回の仕様情報の出力を決定するようにしてもよい（例えば、仕様情報のレコメンド）。
【００８５】
また、上記実施形態では、基本要件情報の一例としての基本要件テーブルと基本要件オブジェクトに基づいて外壁オブジェクトを生成する場合を例に説明したが、これに限定されるものではない。例えば、設計対象の建物を表す他のＢＩＭモデルに格納されている情報を用いて、外壁オブジェクトを生成するようにしてもよい。具体的には、外壁オブジェクトの窓の形式及び窓の数に関しては、設計対象の建物の面積に応じて異なる場合があるため、これらの情報が格納されているＢＩＭモデルから情報を取得し、外壁オブジェクトの窓の形式及び窓の数等を決定するようにしてもよい。
【００８６】
また、上記ではプログラムが記憶部（図示省略）に予め記憶（インストール）されている態様を説明したが、プログラムは、ＣＤ−ＲＯＭ、ＤＶＤ−ＲＯＭ及びマイクロＳＤカード等の記録媒体の何れかに記録されている形態で提供することも可能である。
【符号の説明】
【００８７】
１０   受付部
２０   コンピュータ
２２   基本要件情報記憶部
２４   オブジェクト記憶部
２６   情報取得部
２７   生成部
２８   物性情報記憶部
３０   価格情報記憶部
３２   比重情報付与部
３４   熱負荷情報付与部
３６   価格情報付与部
３８   外壁モデル設定部
４０   荷重計算部
４２   熱負荷計算部
４４   価格計算部
４６   結果出力部
５０   表示部
１００ 設計支援装置
【図１】
2019215827.tif 000004
【図２】
2019215827.tif 000005
【図３】
2019215827.tif 000006
【図４】
2019215827.tif 000007
【図５】
2019215827.tif 000008
【図６】
2019215827.tif 000009
【図７】
2019215827.tif 000010